(57)【要約】【課題】発光光源による原色光の発光を制御し、カラー画像の表示時における色純度の低下を抑えるのに好適な電気光学装置を提供する。【解決手段】電気光学装置１を、画素回路がマトリクス状に配設された表示パネル１０と、表示パネル１０のデータ線を駆動するデータ線駆動回路１１と、表示パネル１０の走査線を駆動する走査線駆動回路１２と、カラー画像を表示するための原色光を発光する複数の原色発光回路から成る原色発光装置１３と、電気光学装置１内の各構成要素を制御するための制御回路１５と、電気光学装置１内の各構成要素に電源を供給する電源回路１６と、を含んだ構成とし、原色発光装置１３における原色発光回路１３０によって、ＲＧＢの各色に対応したＬＥＤアレイをそれぞれ独立に制御する。【選択図】      図１
2005114984.tif 000002
【特許請求の範囲】
【請求項１】
画素回路がマトリクス状に配列された画素マトリクスと、
前記画素マトリクスの行方向及び列方向のうち一方に沿って配列された画素回路群にそれぞれ接続する複数の走査線と、
前記画素マトリクスの行方向及び列方向のうち他方に沿って配列された画素回路群にそれぞれ接続する複数のデータ線と、
前記複数の走査線に接続し且つ前記画素マトリクスの１つの行及び列のいずれかを順次選択する走査線駆動回路と、
表示画像データに基づき前記画素回路を制御する制御信号を生成し、当該生成した制御信号を前記複数のデータ線のうち少なくとも１つのデータ線に供給するデータ線駆動回路と、
カラー画像を表示するための、原色となる複数の色のそれぞれに対応した原色光を発光する原色発光回路と、を備え、
前記原色発光回路による各原色光の発光を、前記カラー画像を表示する１フレームの期間内において時分割で切り替えることで、前記カラー画像の色表現を行う電気光学装置であって、
複数の前記原色発光回路を、前記画素マトリクスの複数行毎又は複数列毎にそれぞれ対応させて設け、
更に、前記複数の原色発光回路を、それぞれ独立に制御する発光制御回路を備えることを特徴とする電気光学装置。
【請求項２】
複数の前記原色発光回路を、前記画素マトリクスの１行毎又は１列毎にそれぞれ対応させて設けたことを特徴とする請求項１記載の電気光学装置。
【請求項３】
前記発光制御回路は、前記複数の原色発光回路による各原色光の発光を、前記走査線駆動回路による走査線の選択時に係る信号に基づき制御することを特徴とする請求項１又は請求項２記載の電気光学装置。
【請求項４】
前記データ線駆動回路は、前記走査線駆動回路によって選択される走査線に対応した前記画素回路に、前記制御信号を前記走査線の行毎又は列毎に順次供給し、
前記発光制御回路は、前記各走査線に対応する前記原色発光回路毎に、その原色光の発光を、前記走査線の選択後における、当該選択された走査線に対応する前記画素回路に前記制御信号を供給した直後で、且つ、同じ走査線が次に選択され当該走査線に対応する前記画素回路に次の前記制御信号が供給される直前の期間に行うように制御することを特徴とする請求項１乃至請求項３のいずれか１項に記載の電気光学装置。
【請求項５】
前記発光制御回路は、前記カラー画像を表示する１フレームの期間を、原色数に応じた複数のサブフレームの期間に分割した各サブフレームの期間内において、前記カラー画像の階調数を２x値（ｘは整数）の和で表したときの各数値にそれぞれ応じた発光期間だけ、前記原色発光回路に同じ色の原色光をそれぞれ発光させることにより、前記カラー画像の階調を表現することを特徴とする請求項１乃至請求項４のいずれか１項に記載の電気光学装置。
【請求項６】
前記原色発光回路は、エレクトロルミネッセンス素子を含んで構成されることを特徴とする請求項１乃至請求項５のいずれか１項に記載の電気光学装置。
【請求項７】
前記走査線駆動回路と、前記データ線駆動回路と、前記複数の原色発光回路と、前記発光制御回路と、を同一基板内に設けたことを特徴とする請求項１乃至請求項６のいずれか１項に記載の電気光学装置。
【請求項８】
請求項１乃至請求項７のいずれか１項に記載の電気光学装置を備えたことを特徴とする液晶表示装置。
【請求項９】
請求項８記載の液晶表示装置を備えたことを特徴とする電子機器。
【発明の詳細な説明】
【技術分野】
【０００１】
本発明は、原色光の発光光源を備えた時分割駆動方式のカラー画像表示装置に係り、特に、発光光源による原色光の発光を制御し、カラー画像の表示時における色純度の低下を抑えるのに好適な電気光学装置に関する。
【背景技術】
【０００２】
従来、時分割駆動方式の液晶表示装置においては、カラー画像を表現するための原色（例えば、ＲＧＢ（Red、Green、Blue）の３原色）にそれぞれ対応した発光光源の発光色の切り替えのタイミングは、各原色に対応した表示データ毎に画面全体を一括して切り替える方法が一般的であった。
ここで、図１３は、従来の時分割表示方式の液晶表示装置における発光色の切り替えタイミングを示す図である。図１３に示すように、通常、時分割駆動方式の表示装置は、１フレームの画像を表示する際に、１フレームの期間を幾つかのサブフレーム（図中のＳＦ１〜ＳＦ３）に分ける。そして、それぞれのサブフレームでは、画像生成に必要な原色光（図１３ではＲＧＢの３原色）を発光させると同時に、その原色光に対応した表示信号を画素のライン単位（図中、ＤＡＴＡ信号におけるＹ０〜Ｙｎライン）で液晶表示装置に供給することで各原色信号の再生表示を時分割で行う。その際、原色光の切り替えを、視覚的にフリッカーとして感知できない周波数（これをサブフレーム周波数という）で行う事によって、人間の目の残像現象と合わせ網膜上で混色を行い、カラー画像として認識させている。
【０００３】
また、時分割駆動方式の液晶表示装置として、特許文献１に開示された技術がある。これは、ＬＥＤの発光輝度が十分ではないため、特に白表示に関しては、人の目に白色がややグレイがかった白に見えるといった従来の時分割駆動方式における問題点を解決するためになされたもので、例えば、１フレームの期間内において、ＲＧＢの３原色にそれぞれ対応した、赤、緑、青の３種類のＬＥＤアレイを各１回ずつ発光させた後に、それらの内少なくともいずれか一つを再度発光させることで、表示輝度を向上させるものである。
【特許文献１】特開平１１−５２３２７
【発明の開示】
【発明が解決しようとする課題】
【０００４】
しかしながら、図１３及び特許文献１に示される上記従来の技術においては、図１３に示すように、原色Ｒに対する表示データの表示後に、原色Ｇの光源を発光すると共に原色Ｇに対する表示データの書込みを、ライン毎（図１３中のＹ０〜Ｙｎ）に順次行うため、原色Ｇの表示データに書き換えられる前の前回の原色Ｒに対する表示データに対して原色Ｇの光源が発光されるため、これらによる混色が発生し、表示カラー画像の色純度が低下するといった問題があった（原色Ｂに関しても同様）。
【０００５】
また、図１３及び特許文献１における上記問題点を克服する方法として、例えば、図１４に示すように、サブフレームの期間内において、表示データの書込み期間ａと発光期間ｂとを別々に設ける方法が考えられる。これにより、図１４中のＹ０〜Ｙｎラインに対する各原色光の発光期間が互いに重なるようなことがなくなるので、混色による色純度の低下を防ぐことが可能である。
【０００６】
しかし、上記図１４に示す方法においては、表示データ書込み期間ａを短くするために、表示装置及び表示信号伝達回路の高速化が必要であると共に、発光期間も限定されることから表示装置の輝度の確保が困難となる。
そこで、本発明は、このような従来の技術の有する未解決の課題に着目してなされたものであって、発光光源による原色光の発光を制御し、カラー画像の表示時における色純度の低下を抑えるのに好適な電気光学装置を提供することを目的としている。
【課題を解決するための手段】
【０００７】
〔発明１〕  上記目的を達成するために、発明１の電気光学装置は、画素回路がマトリクス状に配列された画素マトリクスと、
前記画素マトリクスの行方向及び列方向のうち一方に沿って配列された画素回路群にそれぞれ接続する複数の走査線と、
前記画素マトリクスの行方向及び列方向のうち他方に沿って配列された画素回路群にそれぞれ接続する複数のデータ線と、
前記複数の走査線に接続し且つ前記画素マトリクスの１つの行及び列のいずれかを順次選択する走査線駆動回路と、
表示画像データに基づき前記画素回路を制御する制御信号を生成し、当該生成した制御信号を前記複数のデータ線のうち少なくとも１つのデータ線に供給するデータ線駆動回路と、
カラー画像を表示するための、原色となる複数の色のそれぞれに対応した原色光を発光する原色発光回路と、を備え、
前記原色発光回路による各原色光の発光を、前記カラー画像を表示する１フレームの期間内において時分割で切り替えることで、前記カラー画像の色表現を行う電気光学装置であって、
複数の前記原色発光回路を、前記画素マトリクスの複数行毎又は複数列毎にそれぞれ対応させて設け、
更に、前記複数の原色発光回路を、それぞれ独立に制御する発光制御回路を備えることを特徴としている。
【０００８】
このような構成であれば、発光制御回路によって、画素マトリクスの複数行毎又は複数列毎にそれぞれ設けられた原色発光回路をそれぞれ独立に制御することが可能である。
従って、画素マトリクスの行毎又は列毎に、各原色光の発光を行うなどすることで、カラー画像表示時の混色の発生を抑えることが可能となる。また、画素マトリクスの複数行又は複数列毎に、１つの原色発光回路を対応させるようにしたので、独立制御する発光回路の数を少なくすることができ、発光制御回路の構成の簡易化などが可能となる。
【０００９】
ここで、原色発光回路は、複数色の原色となる色の１色毎に１つの回路で形成したり、原色となる色の全色を１つの回路で形成したり、原色となる色の複数色（全色より少ない色数（以下同様））を１つの回路で形成したりと、どのような構成で形成されていても良い。但し、原色発光回路は、画素マトリクスの複数行又は複数列毎に対応させて設けるので、行又は列における全ての画素回路に対応した画素に対して発光を行うことが可能な構成となる。
【００１０】
また、発光制御回路は、原色発光回路が原色となる色の１色毎に１つの回路で形成された構成の場合は原色光を発光する原色発光回路毎に独立に制御できる。
また、発光制御回路は、原色発光回路が原色となる色の全色毎に１つの回路で形成された場合、及び、原色発光回路が複数色毎に１つの回路で形成された場合は、原色発光回路毎に独立に制御できると共に、１色毎の発光を独立して制御することができる。
【００１１】
また、複数の原色発光回路とは、原色発光回路が原色となる色の１色毎に１つの回路で形成された構成の場合は、この原色発光回路の全色分の組み合わせを一組とし、この一組が複数あることを意味する。
また、原色発光回路が原色となる色の全色毎に１つの回路で形成された構成の場合は、この原色発光回路が複数あることを意味する。
【００１２】
また、原色発光回路が原色となる色の複数色毎に１つの回路で形成された構成の場合は、この原色発光回路の全色分となる組み合わせを一組とし、この一組が複数あることを意味する。
〔発明２〕  更に、発明２の電気光学装置は、発明１の電気光学装置において、複数の前記原色発光回路を、前記画素マトリクスの１行毎又は１列毎にそれぞれ対応させて設けたことを特徴としている。
【００１３】
つまり、複数の前記原色発光回路を、前記画素マトリクスの１行毎又は１列毎にそれぞれ対応させて設けたものである。
従って、画素マトリクスの１行毎又は１列毎に対応する原色発光回路を制御することが可能となるので、行毎又は列毎の細かい発光制御を行うことが可能となる。これにより、原色発光回路を画素マトリクスを２行以上毎又は２列以上毎に１つ設けたものよりも、発光期間を長くすることが可能となり、輝度をより高くすることが可能となる。
〔発明３〕  更に、発明３の電気光学装置は、発明１又は発明２の電気光学装置において、前記発光制御回路は、前記複数の原色発光回路による各原色光の発光を、前記走査線駆動回路による走査線の選択時に係る信号に基づき制御することを特徴としている。
【００１４】
つまり、前記発光制御回路は、前記複数の原色発光回路による各原色光の発光を、前記走査線駆動回路による走査線の選択時に係る信号に基づき制御することが可能であり、これにより信号線の共通化が可能となり電気光学装置の回路構成を簡易化できるので、回路の小型化やコストダウン等が可能となる。
〔発明４〕  更に、発明４の電気光学装置は、発明１乃至発明３のいずれか１の電気光学装置において、前記データ線駆動回路は、前記走査線駆動回路によって選択される走査線に対応した前記画素回路に、前記制御信号を前記走査線の行毎又は列毎に順次供給し、
前記発光制御回路は、前記各走査線に対応する前記原色発光回路毎に、その原色光の発光を、前記走査線の選択後における、当該選択された走査線に対応する前記画素回路に前記制御信号を供給した直後で、且つ、同じ走査線が次に選択され当該走査線に対応する前記画素回路に次の前記制御信号が供給される直前の期間に行うように制御することを特徴としている。
【００１５】
つまり、前記データ線駆動回路は、前記走査線駆動回路によって選択される走査線に対応した前記画素回路に、前記制御信号を前記走査線の行毎又は列毎に順次供給するようになっており、前記発光制御回路は、各走査線に対応する前記原色発光回路毎に、その原色光の発光を、前記走査線の選択後における、当該選択された走査線に対応する前記画素回路に前記制御信号を供給した後で、且つ、同じ走査線が次に選択され当該走査線に対応する前記画素回路に次の前記制御信号が供給される前の期間に行うように制御することが可能である。
【００１６】
従って、カラー画像の表示時において、混色の発生を抑えた状態で発光期間を長くすることができるので、高輝度を得ることが可能となる。
〔発明５〕  更に、発明５の電気光学装置は、発明１乃至発明４のいずれか１の電気光学装置において、前記発光制御回路は、前記カラー画像を表示する１フレームの期間を、原色数に応じた複数のサブフレームの期間に分割した各サブフレームの期間内において、前記カラー画像の階調数を２x値（ｘは整数）の和で表したときの各数値にそれぞれ応じた発光期間だけ、前記原色発光回路に同じ色の原色光をそれぞれ発光させることにより、前記カラー画像の階調を表現することを特徴としている。
【００１７】
つまり、前記発光制御回路は、前記カラー画像を表示する１フレームの期間を、原色数に応じた複数のサブフレームの期間に分割した各サブフレームの期間内において、前記カラー画像の階調数を２x値（ｘは整数）の和で表したときの各数値にそれぞれ応じた発光期間だけ、前記原色発光回路に同じ色の原色光をそれぞれ発光させることにより、前記カラー画像の階調を表現することが可能である。
【００１８】
従って、各原色光に対してオン・オフの２値のみしか表示できない電気光学装置において、フルカラーの表示出力を行うことが可能となる。
ここで、階調数を２x値（ｘは整数）の和で表すとは、例えば、階調が１０であったときは、２１＋２３＝２＋８＝１０といったように、階調１０を２１及び２３の２つ数値で表現する。そして、サブフレームの期間内に、２１及び２３に応じたそれぞれの発光期間だけ、同じ色の原色発光回路を発光させることにより、人間の目の性質を利用して発光色の階調表現を行う。
〔発明６〕  発明６の電気光学装置は、発明１乃至発明５のいずれか１の電気光学装置において、前記原色発光回路は、エレクトロルミネッセンス素子を含んで構成されることを特徴としている。
【００１９】
つまり、エレクトロルミネッセンス素子により原色発光回路を構成することで、原色発光回路の消費電力を低減したり、電気光学装置を薄型化したりすることが可能となる。
ここで、エレクトロルミネッセンス素子は、電圧をかけると素子自体が発光する性質を備えたもので、液晶ディスプレイのように後ろから光を当てる必要がないため、バックライトがない分だけ薄くできると共に、この分の消費電力も少なくできる。更に、どんな角度からでもきれいな画像を見られるのも特徴である。
〔発明７〕  発明７の電気光学装置は、発明１乃至発明６のいずれか１の電気光学装置において、前記走査線駆動回路と、前記データ線駆動回路と、前記複数の原色発光回路と、前記発光制御回路と、を同一基板内に設けたことを特徴としている。
【００２０】
つまり、前記走査線駆動回路と、前記データ線駆動回路と、前記複数の原色発光回路と、前記発光制御回路と、を同一基板内に設けたので、信号線の共通化等を容易に行うことが可能となる。
〔発明８〕  発明８の液晶表示装置は、発明１乃至発明７のいずれか１に記載の電気光学装置を備えたことを特徴としている。
【００２１】
つまり、発明１乃至発明７のいずれか１に記載の電気光学装置を備えているので、カラー画像の表示時において原色発光回路の発光を制御して混色の発生を抑えることのできる液晶表示装置の実現が可能である。
〔発明９〕  発明９の電子機器は、発明８記載の液晶表示装置を備えたことを特徴としている。
【００２２】
つまり、発明８記載の液晶表示装置を備えているので、カラー画像の表示時において原色発光回路の発光を制御して混色の発生を抑えることのできる液晶表示装置を備えた電子機器の実現が可能である。
【発明を実施するための最良の形態】
【００２３】
以下、本発明の実施の形態を図面を参照しながら説明する。図１〜図１４は、本発明に係る電気光学装置及び当該電気光学装置を用いた電子機器の実施の形態を示す図である。
まず、本発明に係る電気光学装置の構成を図１に基づき説明する。図１は、本発明に係る電気光学装置の構成を示すブロック図である。
電気光学装置１は、図１に示すように、液晶シャッターを画素単位で開閉可能な画素回路がマトリクス状に配設された表示パネル１０と、表示パネル１０のデータ線を駆動するデータ線駆動回路１１と、表示パネル１０の走査線を駆動する走査線駆動回路１２と、カラー画像を表示するための原色光を発光する複数の原色発光回路から成る原色発光装置１３と、コンピュータ２から供給される表示データを記憶するメモリ１４と、電気光学装置１内の各構成要素を制御するための制御回路１５と、電気光学装置１内の各構成要素に電源を供給する電源回路１６と、を含んだ構成となっている。
【００２４】
ここで、本実施の形態においては、上記データ線駆動回路１１と、走査線駆動回路１２と、原色発光装置１３と、メモリ１４と、制御回路１５とが同一基板内に形成されていることとする。
更に、図２に基づき、原色発光装置１３における発光素子の構成を説明する。図２は、原色発光装置１３における発光素子の一構成例を示す図である。
【００２５】
図２に示すように、原色発光装置１３の発光素子は、Ｒ（Red）、Ｇ（Green）、Ｂ（Blue)の３原色にそれぞれ対応した３本のＬＥＤアレイを一組とし、これら一組のＬＥＤアレイを、液晶面に対してマトリクス状に形成された画素の１行毎にそれぞれ配設した構成となっている。つまり、ＬＥＤアレイの組みを〔Ｒｉ，Ｇｉ，Ｂｉ〕（ｉ＝１，２，・・・，ｎ（ｎは整数））と表すとすると、液晶面における画素の１行目のラインに対しては〔Ｒ１、Ｇ１、Ｂ１〕が、２行目のラインに対しては〔Ｒ２、Ｇ２、Ｂ２〕が、ｎ行目のラインに対しては〔Ｒｎ、Ｇｎ、Ｂｎ〕が、それぞれ配設されることになる。
【００２６】
そして、本実施の形態において、原色発光装置１３は、これらＲ、Ｇ、Ｂの３原色にそれぞれ対応したＬＥＤアレイを各原色毎に１本１本独立に制御することが可能となっている。
更に、図３〜図５に基づき、電気光学装置１の上記した各構成要素の接続構成、表示パネルを構成する画素回路１００の内部構成、並びに、発光装置１３を構成する原色発光回路１３０の内部構成について説明する。図３は、電気光学装置１を構成する各構成要素の接続構成を示す図であり、図４は、画素回路１００の内部構成を示す図であり、図５は、原色発光回路１３０の内部構成を示す図である。
【００２７】
図３に示すように、表示パネル１０は、複数の画素回路１００をマトリクス状に配設した構成となっている。
ここで、図４に示すように、画素回路１００は、画素トランジスタ１００ａと、当該画素トランジスタ１００ａのソースに入力された電流値に応じた電圧を保持する画素コンデンサ１００ｂと、当該画素コンデンサ１００ｂに保持された電圧を液晶シャッターに印可する画素電極１００ｃと、を含んだ構成となっている。
【００２８】
そして、図３に示すように、データ線駆動回路１１の上記マトリクス状に配設された画素回路１００の各列毎にそれぞれ対応して設けられたデータ線Ｘｉ（ｉ＝０，１，２，・・・，ｎ）が、各列の画素回路１００における画素トランジスタ１００ａのソースに、スイッチングトランジスタＳＴｉ（ｉ＝０，１，２，・・・，ｎ）を介してそれぞれ接続されている。
【００２９】
更に、図３に示すように、走査線駆動回路１２の上記マトリクス状に配設された画素回路１００の各行毎にそれぞれ対応して設けられた走査線Ｙｉ（ｉ＝０，１，２，・・・，ｎ）が、各行の画素回路１００における画素トランジスタ１００ａのゲートにそれぞれ接続されている。
例えば、走査線Ｙ0が選択されると、当該走査線Ｙ0の行に対応する画素回路１００の画素トランジスタ１００ａのゲートに電流が流れ、この画素トランジスタ１００ａがオンになる。次に、データ線駆動回路１１によって、例えば、データ線Ｘ0が選択されると、表示データ信号（図３中のＤａｔａ）が、スイッチングトランジスタＳＴ0を介して、上記選択された走査線Ｙ0の行で且つデータ線Ｘ0の列に対応した画素回路１００における画素トランジスタ１００ａのソースに入力される。これにより、表示データ信号の電流値に応じた電圧が、当該画素トランジスタ１００ａのドレインに接続された画素コンデンサ１００ｂに保持される。そして、画素電極は、画素コンデンサ１００ｂに電圧が保持されると、当該保持された電圧を液晶シャッターに印可し、液晶シャッターの対応する画素部分が開状態となる。この状態で原色発光回路によって発光素子を発光させることで、対応する画素が発光色で表示されることになる。
【００３０】
更に、図３に示すように、電気光学装置１における原色発光装置１３は、上記画素マトリクスの行数と同じ数の原色発光回路１３０＿ｉ（ｉ＝０，１，２，・・・，ｎ）が、各行毎にそれぞれ対応して配設された構成となっている。
ここで、図５に示すように、原色発光回路１３０＿ｉは、原色Ｒを発光するためのＲ＿ＬＥＤアレイ１３１と、原色Ｇを発光するためのＧ＿ＬＥＤアレイ１３２と、原色Ｂを発光するためのＢ＿ＬＥＤアレイ１３３と、Ｒ＿ＬＥＤアレイ１３１の駆動用トランジスタ１３１ａと、Ｇ＿ＬＥＤアレイ１３２の駆動用トランジスタ１３２ａと、Ｂ＿ＬＥＤアレイ１３３の駆動用トランジスタ１３１ｃと、Ｒ＿ＬＥＤアレイ１３１の発光期間を制御するためのセットリセット型フリップフロップ（以降、ＳＲＦＦと略す）回路１３４と、Ｇ＿ＬＥＤアレイ１３２の発光期間を制御するためのＳＲＦＦ回路１３５と、Ｂ＿ＬＥＤアレイ１３３の発光期間を制御するためのＳＲＦＦ回路１３６と、色選択信号ＣＳに基づき、Ｒ＿ＬＥＤアレイ１３１、Ｇ＿ＬＥＤアレイ１３２及びＢ＿ＬＥＤアレイ１３３のうち、どの色のＬＥＤアレイを発光させるかをそれぞれ切り替えるためのＲＧＢ−ＳＷ（スイッチ）１３７と、ＳＲＦＦ回路１３４の出力とＲＧＢ−ＳＦ１３７の出力との論理積を得るためのＡＮＤゲート１３４ａと、ＳＲＦＦ回路１３５の出力とＲＧＢ−ＳＦ１３７の出力との論理積を得るためのＡＮＤゲート１３５ａと、ＳＲＦＦ回路１３６の出力とＲＧＢ−ＳＦ１３７の出力との論理積を得るためのＡＮＤゲート１３６ａと、を含んだ構成となっている。
【００３１】
更に、Ｒ＿ＬＥＤアレイ１３１、Ｇ＿ＬＥＤアレイ１３２及びＢ＿ＬＥＤアレイ１３３には、駆動用トランジスタ１３１ａ、１３２ａ及び１３３ａが、これらの各ソースを介してそれぞれ接続されており、更に、ＳＲＦＦ回路１３４〜１３６の各出力部は、ＡＮＤゲート１３４ａ、１３５ａ及び１３６ａの入力部にそれぞれ接続された構成となっている。  なお更に、これらＡＮＤゲート１３４ａ、１３５ａ及び１３６ａの各出力部は、上記駆動用トランジスタ１３１ａ、１３２ａ及び１３３ａのゲートにそれぞれ接続された構成となっている。
【００３２】
そして、図３に示すように、原色発光回路１３０＿ｉにおけるＳＲＦＦ回路１３４〜１３６のリセット用のＮＡＮＤゲートに走査線Ｙｉがそれぞれ接続され、同１３０＿ｉにおけるＳＲＦＦ回路１３４〜１３６のセット用のＮＡＮＤゲートにそれぞれ走査線Ｙｉ＋１が接続された構成となっている。
更に、原色発光回路１３０＿（ｉ＋１）におけるＳＲＦＦ回路１３４〜１３６のリセット用のＮＡＮＤゲートに走査線Ｙｉがそれぞれ接続され、同１３０＿（ｉ＋１）におけるＳＲＦＦ回路１３４〜１３６のセット用のＮＡＮＤゲートにそれぞれ走査線Ｙｉ＋２が接続された構成となっている。
【００３３】
なお更に、原色発光回路１３０＿ｎ（走査線Ｙｎに対応）におけるＳＲＦＦ回路１３４〜１３６のセット用のＮＡＮＤゲートに、走査線Ｙ0がそれぞれ接続された構成となっている。
つまり、原色発光回路１３０＿ｉは、次の行の走査線Ｙｉ＋１が選択されると動作を開始し、ＲＧＢ−ＳＷ１３７によって選択された色のＬＥＤアレイを発光させる。そして、この発光状態は、ＳＲＦＦ回路１３４〜１３６により、次に走査線Ｙｉが選択されるまで保持されることになる。
【００３４】
例えば、１フレームの期間をサブフレームＳＦ１〜ＳＦ３のそれぞれ均等な３つの期間に分けたときに、ＳＦ１の期間において、走査線Ｙｉに対応した原色発光回路１３０＿ｉのＲ＿ＬＥＤアレイ１３１が発光すると、この発光は、原色Ｇに対応した表示データを表示するためにサブフレームＳＦ２において再びＹｉが選択されるまで継続される。同様に、Ｇ＿ＬＥＤアレイ１３２の発光は、原色Ｂに対応した表示データを表示するためにサブフレームＳＦ３において再びＹｉが選択されるまで継続される。
【００３５】
更に、図６及び図７に基づき、走査線駆動回路１２の構成及びその動作について説明する。図６は、走査線駆動回路１２の内部構成を示す図であり、図７は、走査線駆動回路１２の動作時のタイミングチャートを示す図である。
図６に示すように、走査線駆動回路１２は、正論理の入力に対してそれを反転し負論理の出力をする第１のインバータと、負論理の入力に対してそれを反転し正論理の出力をする第２のインバータと、ＡＮＤゲートｉ（ｉ＝０，１，２，・・・，ｎ）と、を含んだ構成となっている。そして、２つの第１のインバータと１つの第２のインバータとを組み合わせて、シフトレジスタｉ（ｉ＝０，１，２，・・・，ｎ）を構成し、このシフトレジスタｉを直列にｎ＋１段接続し、更に、シフトレジスタ（ｉ＋１）の出力部及びシフトレジスタ（ｉ＋２）の出力部をＡＮＤゲートの入力部にそれぞれ接続した構成となっている。
【００３６】
つまり、走査線選択回路１２において、シフトレジスタ０に入力される制御信号ＤＹが、各シフトレジスタｉに供給されるクロック信号ＣＬＹ及びこれを反転したＣＬＹＢによって順次シフトされ、各シフトレジスタｉ及びシフトレジスタ（ｉ＋１）の出力がＡＮＤゲートｉに入力されることより、これらの論理積が走査線選択信号となって出力される。
更に、図７に基づき、走査線駆動回路１２の具体的な動作を説明する。図７のタイミングチャートには、制御信号ＤＹと、クロックＣＬＹと、シフトレジスタｉの出力Ｍｉ（ｉ＝０，１，２，・・・，ｎ）と、シフトレジスタ（ｉ＋１）の出力Ｑｉ（ｉ＝０，１，２，・・・，ｎ）と、走査線選択信号Ｙｉ（ｉ＝０，１，２，・・・，ｎ）と、が示されている。ここで、上記した制御信号ＤＹ及びクロックＣＬＹは、データ制御回路１５によって供給される。
【００３７】
図７のタイミングチャートに示すように、まず制御信号ＤＹがシフトレジスタ０に入力されると、制御信号ＤＹは、各シフトレジスタｉの出力Ｍｉ及びシフトレジスタ（ｉ＋１）の出力Ｑｉとして、前段のシフトレジスタの出力に対して１クロックずつシフトされたものが交互に且つ順番に出力される。そして、シフトレジスタ１からＱ０が出力されると、ＡＮＤゲート０からは、このＱ０と前段のシフトレジスタ０から出力されたＭ０との論理積が走査線選択信号Ｙ０として出力される。このようにして、各シフトレジスタｉの出力Ｑｉとシフトレジスタ（ｉ＋１）の出力ＭｉとをＡＮＤゲートｉに順次シフトさせながら入力することにより、走査線選択信号Ｙｉを得る。
【００３８】
ここで、データ線駆動回路１１は、上記走査線駆動回路１２と同様の構成となるので、詳細な説明を省略する。
更に、図８に基づき、原色発光装置１３におけるＬＥＤアレイの発光制御について具体的な動作を説明する。図８は、原色発光装置１３の発光制御時における各回路の動作を示すタイミングチャートである。図８には、上記走査線駆動回路１２における制御信号ＤＹと、クロックＣＬＹと、データ線駆動回路１１における、データ信号ＤＡＴＡと、原色発光回路１３０ｉにおける、Ｒ＿ＬＥＤアレイ１３１の発光期間Ｒｙｉ（ｉ＝０，１，２，・・・，ｎ）と、Ｇ＿ＬＥＤアレイ１３２の発光期間Ｇｙｉ（ｉ＝０，１，２，・・・，ｎ）と、Ｂ＿ＬＥＤアレイ１３３の発光期間Ｂｙｉ（ｉ＝０，１，２，・・・，ｎ）と、が示されている。
【００３９】
ここで、本実施の形態においては、コンピュータ２から送信される画像データをメモリ１４に記憶し、この記憶された画像データの１画像に対する表示処理を１フレームの期間で行うこととした。更に、この１フレームの期間をサブフレームＳＦ１〜ＳＦ３の均等な３つの期間へと分割し、サブフレームＳＦ１では、原色Ｒに対応した表示データの表示処理を行い、サブフレームＳＦ２では、原色Ｇに対応した表示データの表示処理を行い、サブフレームＳＦ３では、原色Ｂに対応した表示データの表示処理を行うようにした。
【００４０】
図８に示すように、データ線駆動回路１１は、制御信号ＤＹの立ち下がりに応じて、クロックＣＬＹの半周期毎に、走査線Ｙ０から走査線Ｙｎまで、順番に、原色Ｒに対応した表示データのデータ信号を、データ信号線Ｘｉを介して、走査線選択回路１２によって選択された走査線Ｙｉに対応する画素回路１００に入力する。
これにより、画素回路１００の画素トランジスタ１００ａのソースに入力されたデータ信号の電流値に応じた電圧が画素コンデンサ１００ｂに保持される（以降、これを画素回路１００に表示データを書き込むと表現する）。
【００４１】
更に、画素回路１００の画素電極１００ｃは、画素コンデンサ１００ｂに保持された電圧を液晶シャッターの対応する画素部分に印可する。ここで、表示データの書込みは、走査線Ｙｉの行に対応する全ての画素回路１００に対して行われる。
そして、走査線Ｙｉの行に対応する全ての画素回路１００に原色Ｒに対応した表示データが書き込まれると、図示しない走査線選択信号Ｙｉの立ち上がりに同期して、原色発光回路１３０＿ｉにおけるＲ＿ＬＥＤアレイ１３１の発光処理が行われる。このとき、ＲＧＢ−ＳＷ１３７には、データ制御回路１５から赤色を選択する色選択信号ＣＳが入力されている。これにより、原色発光回路１３０＿ｉのＡＮＤゲート１３４ａの２つの入力であるＳＲＦＦ回路１３１の出力及び色選択信号ＣＳが両方ともｈｉｇｈレベルとなり、Ｒ＿ＬＥＤアレイ１３１の駆動用トランジスタ１３１ａのゲートに電流が流れ、Ｒ＿ＬＥＤアレイ１３１が発光する。
【００４２】
つまり、走査線選択信号Ｙ１の立ち上がりに同期して行われる原色発光回路１３０＿０のＲ＿ＬＥＤアレイ１３１の発光処理を先頭に、次に、走査線選択信号Ｙ２の立ち上がりに同期して原色発光回路１３０＿１のＲ＿ＬＥＤアレイ１３１の発光処理が行われ、更に、走査線選択信号Ｙ３の立ち上がりに同期して原色発光回路１３０＿２のＲ＿ＬＥＤアレイ１３１の発光処理が行われるといったように、走査線選択信号Ｙ０の立ち上がりに同期して原色発光回路１３０＿ｎのＲ＿ＬＥＤアレイ１３１の発光処理が行われるまで、順次、上記した発光処理が行われる。
【００４３】
このようにして、サブフレームＳＦ１の期間において、原色Ｒに対応した表示データの表示処理が終わると、次に、サブフレームＳＦ２における原色Ｇに対応した表示データの表示処理へと移行し、原色Ｇに対応した表示データの表示処理が終わると、更に、サブフレームＳＦ３における原色Ｂに対応した表示データの表示処理へと移行する。
ここで、原色発光回路１３０＿ｉのＲ＿ＬＥＤアレイ１３１の発光は、サブフレームＳＦ２において、走査線Ｙｉが選択されるまで継続される。つまり、図８に示すように、サブフレームＳＦ１における走査線Ｙ0に対応する原色発光回路１３０＿０のＲ＿ＬＥＤアレイ１３１の発光は、サブフレームＳＦ２において走査線Ｙ0が選択されるまでの期間、即ち図中の発光期間Ｒｙ０がｈｉｇｈレベルの期間だけ行われる。同様に、走査線Ｙ1に対応する原色発光回路１３０＿１のＲ＿ＬＥＤアレイ１３１の発光は、発光期間Ｒｙ１がｈｉｇｈレベルの期間だけ行われ、走査線Ｙｎに対応する原色発光回路１３０＿ｎのＲ＿ＬＥＤアレイ１３１の発光は、発光期間Ｒｙｎがｈｉｇｈレベルの期間だけ行われる。
【００４４】
上記した発光期間については、原色発光回路１３０＿ｉのＧ＿ＬＥＤアレイ１３２の発光及び原色発光回路１３０＿ｉのＢ＿ＬＥＤアレイ１３３の発光についても同様であり、図８に示すように、サブフレームＳＦ２における走査線Ｙ0に対応する原色発光回路１３０＿０のＧ＿ＬＥＤアレイ１３２の発光は、発光期間Ｇｙ０がｈｉｇｈレベルの期間だけ行われ、走査線Ｙ1に対応する原色発光回路１３０＿１のＧ＿ＬＥＤアレイ１３２の発光は、発光期間Ｇｙ１がｈｉｇｈレベルの期間だけ行われ、走査線Ｙｎに対応する原色発光回路１３０＿ｎのＧ＿ＬＥＤアレイ１３２の発光は、発光期間Ｇｙｎがｈｉｇｈレベルの期間だけ行われる。更に、サブフレームＳＦ３における走査線Ｙ0に対応する原色発光回路１３０＿０のＢ＿ＬＥＤアレイ１３３の発光は、発光期間Ｂｙ０がｈｉｇｈレベルの期間だけ行われ、走査線Ｙ1に対応する原色発光回路１３０＿１のＢ＿ＬＥＤアレイ１３３の発光は、発光期間Ｂｙ１がｈｉｇｈレベルの期間だけ行われ、走査線Ｙｎに対応する原色発光回路１３０＿ｎのＢ＿ＬＥＤアレイ１３３の発光は、発光期間Ｇｙｎがｈｉｇｈレベルの期間だけ行われる。
【００４５】
このように、サブフレームＳＦ１〜サブフレームＳＦ３の期間において、３原色のＲＧＢに対して、それぞれ走査線Ｙｉの画素回路に各原色に対応した表示データを書込み、原色発光回路のＬＥＤアレイを発光させることで、カラー画像を表示する。
以上、本実施の形態では、原色発光装置１３における発光素子を、ＲＧＢの３本のＬＥＤアレイの組みを、液晶面に対してマトリクス状に形成された画素の１行毎にそれぞれ配設した構成とし、更に、これらＬＥＤアレイにそれぞれ対応した原色発光回路１３０＿ｉの制御によって、上記したＲＧＢの３本のＬＥＤアレイの組みである、Ｒ＿ＬＥＤアレイ１３１、Ｇ＿ＬＥＤアレイ１３２及びＢ＿ＬＥＤアレイ１３３の発光処理を、走査線Ｙｉ毎にそれぞれを独立に制御することが可能である。
【００４６】
また、原色発光回路１３０＿ｉは、Ｒ＿ＬＥＤアレイ１３１、Ｇ＿ＬＥＤアレイ１３２及びＢ＿ＬＥＤアレイ１３３のそれぞれに対応した、ＳＲＦＦ回路１３４〜１３６を備え、これらＳＲＦＦ回路により、サブフレームＳＦ１における、走査線Ｙｉに対するＲ＿ＬＥＤアレイ１３１の発光を、サブフレームＳＦ２において、走査線Ｙｉが選択されるまで継続することが可能であり、同様に、サブフレームＳＦ２における、走査線Ｙｉに対するＧ＿ＬＥＤアレイ１３２の発光を、サブフレームＳＦ３において、走査線Ｙｉが選択されるまで継続することが可能であり、サブフレームＳＦ３における、走査線Ｙｉに対するＢ＿ＬＥＤアレイ１３１の発光を、連続して表示される次の画像に対するサブフレームＳＦ１において、走査線Ｙｉが選択されるまで継続することが可能である。
【００４７】
なお、上記実施の形態においては、各サブフレームの期間において、発光素子としてＲＧＢの３原色の各色に対応したＬＥＤアレイを順番に発光させることにより表示画像を８色で表現することが可能であるが、カラー画像の各色の階調に応じて、この階調数を２xの和で表現し、原色数に応じた各サブフレームの期間において、これら２xの数値のそれぞれに応じた期間だけ、各色の発光素子を発光させることにより８色以上のカラー画像の表現が可能となる。
【００４８】
つまり、図９に示すように、カラー画像の赤色の階調数が１０であったときに、まず、これを２xの和で表現する。図９に示すように、階調１０は、２１と２３との和で表現できる。ここで、２０〜２３までの各数値に対応した発光期間は、図９中に示す１１０ａ〜１１０ｄに示される期間となる。従って、図９中の１１１に示すように、サブフレーム１Ｆの期間内において、１１０ａの期間のＲ＿ＬＥＤアレイ１３１の発光と１１０ｄの期間のＲ＿ＬＥＤ１３１の発光とを行うことで、階調１０の赤色を表現することができる。同様に、階調６の緑色のときは、サブフレーム２Ｆの期間において、１１０ｂの期間のＧ＿ＬＥＤ１３２の発光と１１０ｃの期間のＧ＿ＬＥＤ１３２の発光とを行うことで、階調６の緑色の表現が可能である。
【００４９】
また、上記実施の形態において、原色発光装置１３における発光素子の構成を、図２に示すように、ＲＧＢの３本のＬＥＤアレイの組みを、液晶面に対してマトリクス状に形成された画素の１行毎にそれぞれ配設した構成としたが、これに限らず、図１０に示すように、ＲＧＢの３本のＬＥＤアレイの組みを、液晶面に対してマトリクス状に形成された画素の複数行（図１０では３行毎）毎にそれぞれ配設した構成としても良い。このようにすることで、原色発光回路１３０＿ｉの数を減らすことができ、回路の小型化やコストの軽減などが可能となる。但し、混色を避けるために、発光素子に対応した複数ラインの画素回路に対する表示データの書込みが全て終了後に発光を行わなければならないため、原色発光回路１３の数を減らし過ぎると、輝度の低下が著しくなる恐れがある。
【００５０】
また、上記した電気光学装置１は、モバイル型のパーソナルコンピュータや、携帯電話等の種々の電子機器に適用することができる。
図１１は、モバイル型のパーソナルコンピュータの構成を示す斜視図である。パーソナルコンピュータ１０００は、キーボード１０２０を備えた本体部１０４０と、上記した電気光学装置１を用いた表示ユニット１０６０とを備えている。
【００５１】
図１２は、携帯電話の斜視図である。携帯電話２０００は、複数の操作ボタン２０２０と、受話口２０４０と、送話口２０６０と、上記した電気光学装置１を用いた液晶表示パネル２０８０とを備えている。
なお、電子機器としては、図１１のパーソナルコンピュータ１０００や、図１２の携帯電話２０００のほかにも、デジタルカメラ、テレビ、ビューファインダ型やモニタ直視型のビデオテープレコーダ、カーナビゲーション装置、ページャ、電子手帳、電卓、ワードプロセッサ、ワークステーション、テレビ電話、ＰＯＳ（Point Of Sale）端末、タッチパネルを備えた機器等を挙げることができる。これらの各種の電子機器の表示部として、上記電気光学装置１を用いた表示ユニットが適用可能である。
【００５２】
ここで、上記実施の形態において、原色発光回路１３０＿ｉにおける、走査線選択信号Ｙｉ、ＳＲＦＦ回路１３４〜１３６、ＡＮＤゲート１３４ａ〜１３６ａ及びＲＧＢ−ＳＷ１３７から構成される部分は、発明１、３、４、５及び７のいずれか１の発光制御回路に対応し、発光期間Ｒｙｉ、Ｇｙｉ及びＢｙｉは、発明４における各原色光の発光期間に対応し、１１０ａ〜１１０ｄの期間は、発明５における２xの数値のそれぞれに応じた発光期間に対応する。
【００５３】
なお、上記実施の形態においては、発光素子としてＲＧＢの３原色の場合を例として説明したが、これに限らず、ＲＧＢに加え、Ｃ（シアン）、Ｍ（マゼンタ）等の他の色を追加して、原色を、４色や５色など多色化して色表現を行うようにしても良い。これにより、表示画像の色域の拡大効果を得ることが可能となる。
また、上記実施の形態においては、発光素子としてＬＥＤを用いた例を説明したが、これに限らず、発光素子としてエレクトロルミネッセンス素子等の他の素子を用いても良い。
【００５４】
また、上記実施の形態においては、ハードウェアによる制御によって画像の表示処理を行うようになっているが、これに限らず、上記したハードウェア制御の一部又は全部をプロセッサによるプログラムの実行によって行うようにしても良い。
【図面の簡単な説明】
【００５５】
【図１】本発明に係る電気光学装置の構成を示すブロック図である。
【図２】原色発光装置１３における発光素子の一構成例を示す図である。
【図３】電気光学装置１を構成する各構成要素の接続構成を示す図である。
【図４】画素回路１００の内部構成を示す図である。
【図５】原色発光回路１３０の内部構成を示す図である。
【図６】走査線駆動回路１２の内部構成を示す図である。
【図７】走査線駆動回路１２の動作時のタイミングチャートを示す図である。
【図８】原色発光装置１３の発光制御時における各回路の動作を示すタイミングチャートである。
【図９】ＲＧＢの３原色による階調表示の原理の一例を示す図である。
【図１０】発光素子を、液晶面に対してマトリクス状に形成された画素の複数行毎にそれぞれ配設した構成例を示す図である。
【図１１】モバイル型のパーソナルコンピュータの構成を示す斜視図である。
【図１２】携帯電話の斜視図である。
【図１３】従来の時分割表示方式の液晶表示装置における発光色の切り替えタイミングを示す図である。
【図１４】従来の時分割表示方式の液晶表示装置において、サブフレームの期間内に、表示データの書込み期間ａと発光期間ｂとを別々に設けた一例を示す図である。
【符号の説明】
【００５６】
１…電気光学装置、２…コンピュータ、１０…表示パネル、１１…データ線制御回路、１２…走査線制御回路、１４…メモリ、１５…データ制御回路、１６…電源回路、１００…画素回路、１００ａ…画素トランジスタ、１００ｂ…画素コンデンサ、１００ｃ…画素電極、１３０…原色発光回路、１３１〜１３３…ＬＥＤアレイ、１３４〜１３６…ＳＲＦＦ回路、１３７…ＲＧＢ−ＳＷ、１０００…パーソナルコンピュータ、２０００…携帯電話、Ｘｉ（ｉ＝０，１，２，・・・，ｎ）…データ線、Ｙｉ（ｉ＝０，１，２，・・・，ｎ）…走査線、ＳＴｉ（ｉ＝０，１，２，・・・，ｎ）…スイッチングトランジスタ
【図１】
2005114984.tif 000003
【図２】
2005114984.tif 000004
【図３】
2005114984.tif 000005
【図４】
2005114984.tif 000006
【図５】
2005114984.tif 000007
【図６】
2005114984.tif 000008
【図７】
2005114984.tif 000009
【図８】
2005114984.tif 000010
【図９】
2005114984.tif 000011
【図１０】
2005114984.tif 000012
【図１１】
2005114984.tif 000013
【図１２】
2005114984.tif 000014
【図１３】
2005114984.tif 000015
【図１４】
2005114984.tif 000016